(57)【要約】      （修正有）【課題】切断初期から切断の終了時まで被切断物に加わる剪断力（切断力）が格段に大きく、しかも被切断物の刃先方向への逃げの問題を解消した鋏を提供する。【解決手段】右側棒刃２と左側棒刃１を交差させて枢支ピン３Ａでピン結合した挟１０において、両棒刃１、２の柄部分を、左側リンクと、右側リンクと、左側棒状柄６と、右側棒状柄７と、バネ８とから成るパンタグラフ機構とし、左右のリンクの他端部を左右の柄部の上端部でスライド可能にピン結合をおこなう。この鋏１０によれば、全ての指を柄部分に掛けて開閉することができるので、切れ味が良くなり、柄を閉じる切断時に刃先が前方に積極的に前進するので、被切断物Ｐの刃先方向への逃げの問題を解消できる。【選択図】図３
0003159703.tif 000002
【実用新案登録請求の範囲】
【請求項１】
右側棒刃と左側棒刃のそれぞれの刃部を対向させた状態でそれぞれの棒刃の刃部と柄部との間を交差させ、該交差部を枢支ピンで枢支結合した挟であって、  
前記それぞれの棒刃の柄部を、
前記右側棒刃の柄部の略中間部でピン結合された左側リンクと、
前記左側棒刃の柄部の略中間部でピン結合された右側リンクと、
前記右側棒刃の柄部の下端部と前記左側リンクの端部とをピン結合する左側棒状柄と、
前記左側棒刃の柄部の下端部と前記右側リンクの端部とをピン結合する右側棒状柄とを備え、
前記右側リンクと前記左側リンクの端部同士をリンク結合するとともに、
該右側リンクと該左側リンクの他端部をそれぞれの柄部の上端部でスライド可能にピン結合し、
前記左側棒刃と前記右側棒刃の刃部間を拡開させる方向に付勢するバネから成るパンタグラフ機構に構成したことを特徴とする鋏。
【請求項２】
右側棒刃と左側リンクのピン結合点、及び左側棒刃と右側リンクのピン結合点の位置を、それぞれの棒刃の柄部とそれぞれのリンクの中間点としたことにより、右側棒状柄と左側棒状柄とが互いに平行になるようにしたことを特徴とする請求項１記載の挟。
【請求項３】
枢支ピン以外のピン結合点において、リンク間にバネ座金を介在させたことを特徴とする請求項１又は請求項２に記載の挟。
【請求項４】
ピン結合点をネジ止め構造にすることにより、左側棒刃と右側棒刃とを分解可能にしたことを特徴とする請求項１〜請求項３の何れかに記載の挟。
【考案の詳細な説明】
【技術分野】
【０００１】
本考案は、例えば草花の軸の切断や、植木、庭木等の剪定などに用いる鋏に関し、その特徴とするところは切れ味が格段に良く、切断時に切断刃の交差部が被切断物方向に前進する鋏に関する。
【背景技術】
【０００２】
従来、例えば草花の切り取りや、植木、庭木等の剪定をするには、鋏の左右の柄を最大限開き、これにより右刃と左刃も最大限開いた状態で両棒刃の根元に草花等の軸を咥え、しかる後に両棒刃を閉じるのである。しかし、従来の鋏は、両棒刃を最大限に開いた時点では被切断物に対する両棒刃の交差角が大きいために被切断物が刃先方向に滑り（刃先方向に押し出され）、両棒刃を閉じるに従い上記交差角が小さくなるため、刃先付近でようやく切れ始めるという欠点があった。
【０００３】
この場合、作業者は、被切断物が刃先方向に逃げるのを（被切断物が刃先方向に滑るのを）少しでも防ぐために、腕を被切断物方向に伸ばして両棒刃の交差部を被切断物に押し付けるのであるが、この動作は切断回数が多い場合にはかなりの疲労感を伴うものである。
【０００４】
また、切断に際しては、鋏の柄から枢支ピンまでの距離は一定であるに対し、両棒刃の交差部が、すなわち切断位置が刃先方向に移動するに従いその切断位置も枢支ピンから遠のくために、鋏を被切断物方向に押し付け、より大きな握力を柄に加える必要があった。したがって、従来の鋏は、被切断物が刃先方向に逃げるに従い、切断しずらくなる欠点があった。
【０００５】
このように、切断時に被切断物の刃先方向への「逃げ」を防止するために作業者が被切断物に追従して鋏を刃先方向に押し付けなければならない問題、及び両棒刃の交差部が刃先方向に移動するに従いより大きな握力を必要とする問題は、鋏の構造が二枚の刃を交差させてピン結合する以上、避けられない問題である。特に、被切断物の刃先方向への逃げの問題は、刃の長さが短い鋏ほど切断初期の両棒刃の交差角が高いために顕著に現れる現象であった。
【０００６】
そこで、上記問題を少しでも軽減せんとして、図６に示す特許文献１に記載された鋏５０がある。
【０００７】
この鋏５０は、一対の柄５１、５２の間にパンタグラフ状リンク５３を介設したもので、図６（ａ）の切断初期段階から図６（ｂ）の切断終了段階の正面図が示すように、両棒刃５４、５５が閉じるまでの間に枢支ピン５６の位置を徐々に刃先方向に移動させることで、すなわち鋏の「てこ比」をパンタグラフ状リンク５３で徐々に大きくすることで、刃先部分に加わる力を少しでも大きくし、その切断を楽になるようにしたものである。
【０００８】
しかしながら、この鋏５０は、上記被切断物の刃先方向への逃げの問題に関しては、枢支ピン５６が刃先方向に移動するだけで被切断物の逃げが防止できるものではない。また、刃先付近にはその構造上、大きな切断力が加わるが、切断初期の切断力については従来と何ら変わるところがないものである。
【０００９】
また、この鋏の柄５１、５２は、従来のはさみの全てがそうであるが、図６（ｂ）に示すように、親指と人指し指をその回りから包囲するものであるため、収納時の柄５１、５２の最大幅（収納幅）を狭くするには一定の限度があった。
【００１０】
更に、てこ比を変化させる構造が枢支ピン５６を両棒刃５４、５５に設けられた２つの交差する長孔５７、５８内で同時にスライドさせるものである以上、頻繁な開閉動作を必要とする鋏では枢支ピン５６の磨耗及びこれによる両棒刃５４、５５間にガタが発生するため、耐久性に劣り、実用的でなかった。
【先行技術文献】
【特許文献】
【００１１】
【特許文献１】特開平４−２１５７８５号公報（特許請求の範囲、図１〜３参照）
【考案の概要】
【考案が解決しようとする課題】
【００１２】
本考案は、上記従来の鋏の欠点を解消すべくなされたもので、切断初期から切断終了時までの全段階に渡り、被切断物に加わる切断力（剪断力）が格段に大きく、しかも被切断物の刃先方向への逃げの問題をも解消した鋏を提供することを目的とする。
【課題を解決するための手段】
【００１３】
上記課題を解決するため、本考案に係る請求項１記載の鋏は、右側棒刃と左側棒刃のそれぞれの刃部を対向させた状態でそれぞれの棒刃の刃部と柄部との間を交差させ、該交差部を枢支ピンで枢支結合した挟であって、前記それぞれの棒刃の柄部を、前記右側棒刃の柄部の略中間部でピン結合された左側リンクと、前記左側棒刃の柄部の略中間部でピン結合された右側リンクと、前記右側棒刃の柄部の下端部と前記左側リンクの端部とをピン結合する左側棒状柄と、前記左側棒刃の柄部の下端部と前記右側リンクの端部とをピン結合する右側棒状柄とを備え、前記右側リンクと前記左側リンクの端部同士をリンク結合するとともに、該右側リンクと該左側リンクの他端部をそれぞれの柄部の上端部でスライド可能にピン結合し、前記左側棒刃と前記右側棒刃の刃部間を拡開させる方向に付勢するバネから成るパンタグラフ機構に構成したことを特徴とする。
【００１４】
この場合、右側棒刃と左側リンクのピン結合点、及び左側棒刃と右側リンクのピン結合点の位置を、それぞれの棒刃の柄部とそれぞれのリンクの中間点とすることにより、右側棒状柄と左側棒状柄とが互いに平行になるようにしても良い。
【００１５】
また、枢支ピン以外のピン結合点において、リンク間にバネ座金を介在させることにより、両棒刃の刃部を常に密着させ、さらに切れ味を高めても良い。
【００１６】
また、ピン結合点をネジ止め構造にすることにより、左側棒刃と右側棒刃とを分解可能にしても良い。
【考案の効果】
【００１７】
本考案の鋏は、左右の柄の形状を刃先方向に延びる棒状の長い柄としたので，親指と人差し指のみを柄部分に掛ける従来の鋏とは異なり、全ての指を柄部分に掛けて開閉することができる。したがって、本考案の鋏は、切断初期から切断の終了時まで被切断物に加える切断力（剪断力）を両棒刃の交差部に集中することができ、格段に切れ味が良くなる。
【００１８】
また、柄を閉じる切断時には、作業者が腕を伸ばさずとも刃先が被切断物を追いかけるように被切断物方向に前進するので、被切断物が刃先方向に逃げる従来の鋏の欠点を解消できる。
【図面の簡単な説明】
【００１９】
【図１】図１（ａ）は、柄を全開にしたときの本考案の挟の正面図、図１（ｂ）は、本考案の鋏の上面図である。
【図２】図２は、図１の鋏の要部の別例であり、このうち図２（ａ）は、図１（ａ）の右側棒状柄の別例の部分拡大図、図２（ｂ）は、そのＡ―Ａ断面図、図２（ｃ）は、そのＢ―Ｂ断面図である。
【図３】図１の鋏を作業者が全開にした状態を示す正面図である。
【図４】図１の鋏を作業者が半開にした状態を示す正面図である。
【図５】図１の鋏を作業者が全閉にした状態を示す正面図である。
【図６】従来の鋏の使用状態図で、図６（ａ）はその両棒刃の全開図、図６（ｂ）はその全閉図である。
【考案を実施するための形態】
【実施形態１】
【００２０】
以下、本考案を実施するための形態を図面に基づいて説明する。
【００２１】
図１（ａ）は、柄を全開にしたときの本考案の挟の正面図、図１（ｂ）は、本考案の鋏の上面図である。
【００２２】
これらの図が示すように、本考案に係る鋏１０は、両棒刃のそれぞれの柄部１ｂ、２ｂに、右側リンク５と左側リンク４、及び左側棒状柄６と右側棒状柄７をパンタグラフ状にリンク結合したものである。
【００２３】
すなわち、本考案に係る鋏１０は、左側棒刃１と右側棒刃２（以下、「両棒刃１、２」と略称する。）と、両棒刃１、２を交差させて枢支結合する枢支ピン３Ａと、左側棒刃１側に位置する左側リンク４と、右側棒刃２側に位置する右側リンク５と、左側棒刃１側に位置する左側棒状柄６と、右側棒刃２側に位置する右側棒状柄７と、両棒刃の刃部１ａ、２ａ間を互いに拡開させるバネ８とで構成されている。
【００２４】
両棒刃１、２は、いずれも刃部１ａ、２ａと、柄部１ｂ、２ｂとが一体になった文字通り棒状のものである。それぞれの刃部１ａ、２ａの形状は、例えば直刃、柳刃等如何なる形状のものでも良い。
【００２５】
枢支ピン３Ａは、両棒刃を交差させ、当該部分でピン結合して開閉自在にするもので、本実施形態では枢支ピン３Ａを図１（ｂ）に示すように、十字孔付き小ネジ３ａと、六角袋ナット３ｂと、平座金３ｃとで構成することにより両棒刃を随時分解可能にしているが、例えば、かしめ、鳩目とすることにより分解できない構造のものにしても良い。
【００２６】
左側リンク４と右側リンク５は、左側棒刃１の柄部１ｂと、右側棒刃２の柄部２ｂとを枢支ピン３Ｂでピン結合するとともに、それぞれのリンク４、５の端部を左側棒状柄６と右側棒状柄７の下端部と枢支ピン３Ｃでピン結合することにより、これら部材をパンタグラフ状に組み上げる部材である。
【００２７】
本実施形態のパンタグラフ機構は、左側棒刃１と左側リンク４及び右側棒刃２と右側リンク５を、それぞれの棒刃１、２の柄部１ｂ、２ｂと、それぞれのリンク４、５の中間点同士で、枢支ピン３Ｂで回動自在にピン結合した例である。
【００２８】
なお、上記枢支ピン３Ｂは、前述した枢支ピン３Ａと同様の部材で構成したことにより分解可能にしているが、分解できない構造のものであっても良い。
【００２９】
なお、枢支ピン３Ｂの別例として、例えば図２（ａ）及び図２（ａ）のＡ−Ａ横断面図である図２（ｂ）に示すように、左側棒刃１と右側リンク５との間にバネ座金３ｆを介在させた枢支ピン３Ｄとしても良い。このようにすると、両棒刃の柄部１ｂ、２ｂ間がバネ座金３ｆの弾発力によって互いに離間する方向に付勢され、その結果、枢支ピン３Ａが支点、刃部１ａ、２ａの交差部（刃部１ａ、２ａの刃面の交点をいう。）が力点となって両棒刃の接圧が増すので、当初の切れ味を常に維持することができる。なお、図２（ａ）では、図１で説明した固定金具９の図示は省略してあり、また、図２（ｂ）では、左側棒刃１と右側リンク５の離間による傾斜は、実際よりも大きく図示してある。
【００３０】
リンク間にバネ座金３ｆを介在させることについては、前述の枢支ピン３Ａ、３Ｂ以外の後述する枢支ピン３Ｃにおいても同様である。
【００３１】
左側棒状柄６と右側棒状柄７とは、本考案の鋏１０を作業者が握る柄部分であり、図の如く刃先方向に延びる長い棒状の部材であり、その全長Ｌ（図１参照）は親指以外の４指が掛かるに十分な長さである。通常、鋏の柄は、刃部と一体になっており、その位置は刃部の反対にあるが、本考案の棒状柄６、７は両棒刃１、２の柄部１ｂ、２ｂとは別部材で構成した点に特徴がある。
【００３２】
本実施形態の左右の棒状柄６、７は、いずれも横断面が「コ」字状のものとしたが、その他、円筒形など如何なる形状のものであっても良い。それぞれの棒状柄６、７の下端部は、同様にそれぞれの棒刃１、２の柄部１ｂ、２ｂと、十字孔付き小ネジ３ａ、六角袋ナット３ｂ、厚みの異なるスペーサー３ｄ、３ｅ及び平座金３ｃから成る枢支ピン３Ｃで回動自在に結合されている。
【００３３】
一方、それぞれの棒状柄６、７の上端部は、刃先方向に延びる貫通した長孔６ａ、７ａが設けられ、この長孔６ａ、７ａ内に上記構造の枢支ピン３Ｃにより、それぞれのリンク４、５の他端部とスライド可能にピン結合されている。
【００３４】
このピン結合の別例として、例えば図２（ａ）及びそのＢ−Ｂ横断面図である図２（ｃ）の枢支ピン３Ｅに示すように、十字孔付き小ネジ３ａの代わりに棒状柄７の厚みよりも若干短いピン４ａを装着し、右側リンク５の端部の両側を厚みの異なるスペーサー３ｄ、３ｅで挟んだ状態で上記ピン４ａに加締め固定しても良い。
【００３５】
このようにすると、右側棒状柄７の表面からピン４ａが外に突出することがないので、図１の十字孔付き小ネジ３ａを挿入した場合に比べて両棒刃の開閉時の違和感がない。
【００３６】
なお、符号６ｂ、７ｂは、図６で後述する両棒刃１、２の全閉時に枢支ピン３Ｂを収納するための凹部である。
【００３７】
バネ８は、両棒刃１、２の刃部１ａ、２ａ間の交差角θを常時開く方向に付勢するためのものである。バネ８の装着位置は、図の位置が典型例であるが、他に種々の位置が考えられる。例えば両棒刃１、２の柄部１ｂ、２ｂが互いに離間するように柄部１ｂ、２ｂ間に直接介設したり、「コ」字状断面の右側棒状柄７の中に内蔵させて、右側リンク５の他端部に位置する枢支ピン３Ｃを右側棒刃２の柄部２ｂの下端部に位置する枢支ピン３Ｃから離間させるようにしても良い。
【００３８】
バネ８の形式についても例えば竹の子バネ、弦巻バネ、板バネ等如何なるものであっても良い。
【００３９】
以上のように本実施形態では、それぞれの棒刃１、２の柄部１ｂ、２ｂの中間点で、左側リンク４と右側リンク５の中間点同士をピン結合しているので、左側棒状柄６と右側棒状柄７とは、常に互いに平行な位置関係を保つことができる。なお、両棒刃を全開したときの左右の棒状柄６、７の最大幅Ｗmax（図１参照）は、作業者が鋏１０を掴み得る最大寸法であり、長孔６ａ、７ａの位置とその長さを適宜決定することにより容易に設定できる。
【００４０】
本実施形態の鋏の構成部材の材質は、ステンレス鋼であるが、棒刃１、２のみ工具鋼その他の材質で構成し、それらの刃部１ａ、２ａに焼入れを施すなどの点については従来の鋏と同様である。また、左右の棒状柄６、７の表面を滑り止めのために、ゴムシート（不図示）で被覆するなどしても良い。
【００４１】
なお、固定金具９は、両棒刃１、２を閉じたときに係止フック９ｂを左側棒状柄６の左側面に係止させて両棒刃の閉じ状態を保つためのもので、ビス９ｃで側面に設けられた２つの長孔９ｄを通して右側棒状柄７の側面に固定されており、長孔９ｄの範囲内で全体が上下動できるようになっている。
【００４２】
次に、本考案の作用を図３〜図５の使用図に基づいて説明する。
【００４３】
図３は、図１の鋏１０を作業者が全開にした状態を示す正面図である。
【００４４】
この場合、バネ８が両棒刃１、２の柄部１ｂ、２ｂを全開させるように付勢するので、両棒刃１、２の刃部１ａ、２ａも図１の状態と全く同じ状態の全開位置にあり、左右の枢支ピン３Ｃは長孔６ａ、７ａの最下端に位置している。
【００４５】
この状態で作業者は、右手（または左手）の親指を右側棒状柄７の外側に掛け、親指以外の全ての指を対向する左側棒状柄６の外側に掛ける。そして、両棒刃１、２の交差部の根元（切断部）で図の二点鎖線で示す被切断物Ｐを咥えるか、或は左手で持った被切断物Ｐを両棒刃の交差部の根元に差し込むかする。
【００４６】
この状態で両手の指を縮め、左右の棒状柄６、７の間隔を縮めると、図４に示す両棒刃１、２が半開きの状態になる。
【００４７】
この状態においては、両棒刃１、２は、左右の棒状柄６、７が両棒刃１、２の棒状柄６、７の間隔を縮めるので、その交差角θが小さくなり（θ１＜θ）、被切断物Ｐは図の上方に押し出されつつ、切断される。
【００４８】
一方、両リンク４、５もその交差角θが縮まるが、左右の棒状柄６、７と作業者の手の指間には相対移動がないので、枢支ピン３Ｃが長孔６ａ、７ａの中間点まで矢印方向に移動する。すなわち、枢支ピン３Ｃは、長孔６ａ、７ａの全長の半分の距離だけ上方に移動する。したがって、両棒刃１、２の交差部も同じ距離だけ被切断物Ｐに追従するように矢印方向に移動する。
【００４９】
さらに左右の棒状柄の間隔を縮めると、図５の両棒刃が全閉状態となる。
【００５０】
この状態は、左右の枢支ピン３Ｃが長孔６ａ、７ａの最上端まで移動し、それぞれの棒刃１、２の交差角θ２は、最小の交差角（θ２＜θ１＜θ）となる。
【００５１】
この状態においては、両棒刃１、２の交差部は、左右の枢支ピン３Ｃが長孔６ａ、７ａの最上端位置に達するまで、さらに図の上方に被切断物Ｐを追いかけるように前進する。したがって、被切断物Ｐは、両棒刃の交差部で押し付けられ、両棒刃１、２が閉じた時点で完全に切断される。両棒刃１、２が閉じたら、固定金具９の頭部９ａを二点鎖線位置から実線位置まで押し上げ、その係止フック９bを左側棒状柄６の左側面に係止する。
【００５２】
本考案に係る鋏１０は、上記構成としたので、以下に述べる従来の鋏５０では得られない多くの作用効果を奏することができる。
・  本考案の鋏１０の棒状柄６、７は、刃先方向に長い寸法Ｌを有する長い柄としたため、鋏１０の開閉時には、従来の鋏５０のように作業者の親指と人差し指のみならず、全ての指を柄部分に掛けて開閉することができる。したがって、鋏１０の切断作用点である両棒刃の交差部には、作業者の全握力を集中することができ、格段に切れ味が良くなる。
・  左右の棒状柄６、７を閉じる切断時には、両棒刃１、２がパンタグラフ機構により、被切断物Ｐを追いかけるように被切断物Ｐ方向に積極的に前進する。
【００５３】
したがって、被切断物Ｐが交差角の影響で刃先方向に逃げても、被切断物Ｐの切断中は常に被切断物Ｐを刃先で咥えていることになり、確実に被切断物Ｐを切断することができる。すなわち、本考案の鋏は、前述した従来の鋏の「被切断物Ｐの逃げ（滑り）」の問題を解消することができる。
・  また、本考案の鋏の「刃先の積極的追従作用」は、作業者は手を被切断物Ｐ方向に伸ばす必要が全くないので、たとえ被切断物Ｐを多く切断する必要があるときでも疲れることがない。
・  両棒刃の全閉時には、パンタグラフ機構により、両棒刃の柄部１ｂ、２ｂと各リンク４、５とを最接近させることができる。したがって、収納時の左右の棒状柄６、７の間隔である収納幅Ｗmin（図５参照）を狭くでき、携帯に便利である。例えば、腰ベルトと一体になったホルダーに先の細いドライバーと同様、容易に差し込むことができる。
・  また、左側棒刃１と右側リンク５のリンク結合点及び右側棒刃２と左側リンク４のリンク結合点において、部材間にバネ座金３ｆを介在させた場合には、部材間を広げようとするバネ座金３ｆの力が力点となり、枢支ピン３Ｃが支点となり、刃部１ａ、２ａの交差部が作用点となる「てこの原理」が働くので、刃部１ａ、２ａの交差部は常に刃面が密着状態となる。
【００５４】
したがって、本考案の鋏１０は、切れ味が落ちることなく、使い始めの切れ味を常に維持することができる。
・  更に、各枢支ピン３Ａ〜３Ｃをネジ止め構造のものにした場合には、左側棒刃１と右側棒刃２とを分解でき、切れ味が落ちた場合の刃部１ａ、２ａの研磨が非常に容易になる。
【００５５】
以上に説明した本考案の鋏の実施形態は、ほんの一例である。したがって、本考案の鋏は、これら実施形態のものに限定されず、実用新案登録請求の範囲に記載された趣旨を逸脱しない範囲で種々の変形、組み合わせが可能であり、これらの変形、組み合わせも本考案の範囲に含まれることは勿論である。
【符号の説明】
【００５６】
１    右側棒刃
１ａ    刃部
１ｂ    柄部
２    左側棒刃
２ａ    刃部
２ｂ    柄部
３Ａ〜３Ｅ    枢支ピン
３ａ    十字孔付き小ネジ
３ｂ    六角袋ナット  
３ｃ    平座金
３ｄ    スペーサー
３ｅ    スペーサー
３ｆ    バネ座金
４    右側リンク
５    左側リンク
６    右側棒状柄
６ａ    長孔
６ｂ    凹部
７    左側棒状柄
７ａ    長孔
７ｂ    凹部
８    バネ
９    固定金具
９ａ    頭部
９ｂ    係止フック
９ｃ    ビス
１０    鋏（本考案）
Ｐ    被切断物
【図１】
0003159703.tif 000003
【図２】
0003159703.tif 000004
【図３】
0003159703.tif 000005
【図４】
0003159703.tif 000006
【図５】
0003159703.tif 000007
【図６】
0003159703.tif 000008
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
右側棒刃と左側棒刃のそれぞれの刃部を対向させた状態でそれぞれの棒刃の刃部と柄部との間を交差させて交差部と成し、該交差部を枢支ピンで枢支結合した鋏であって、  
前記それぞれの棒刃の柄部を、
前記右側棒刃の柄部の略中間部でピン結合された左側リンクと、
前記左側棒刃の柄部の略中間部でピン結合された右側リンクと、
前記右側棒刃の柄部の下端部と前記左側リンクの端部とをピン結合する左側棒状柄と、
前記左側棒刃の柄部の下端部と前記右側リンクの端部とをピン結合する右側棒状柄とを備え、
前記右側リンクと前記左側リンクの端部同士をリンク結合するとともに、
該右側リンクと該左側リンクの他端部をそれぞれの柄部の上端部でスライド可能にピン結合し、
前記左側棒刃と前記右側棒刃の刃部間を拡開させる方向に付勢するバネから成るパンタグラフ機構に構成したことを特徴とする鋏。
【請求項２】
右側棒刃と左側リンクのピン結合点、及び左側棒刃と右側リンクのピン結合点の位置を、それぞれの棒刃の柄部とそれぞれのリンクの中間点としたことにより、右側棒状柄と左側棒状柄とが互いに平行になるようにしたことを特徴とする請求項１記載の鋏。
【請求項３】
枢支ピン以外のピン結合点において、リンク間にバネ座金を介在させたことを特徴とする請求項１又は請求項２に記載の鋏。
【請求項４】
ピン結合点をネジ止め構造にすることにより、左側棒刃と右側棒刃とを分解可能にしたことを特徴とする請求項１〜請求項３の何れかに記載の鋏。
【手続補正２】
【補正対象書類名】明細書
【補正対象項目名】００１３
【補正方法】変更
【補正の内容】
【００１３】
上記課題を解決するため、本考案に係る請求項１記載の鋏は、右側棒刃と左側棒刃のそれぞれの刃部を対向させた状態でそれぞれの棒刃の刃部と柄部との間を交差させて交差部と成し、該交差部を枢支ピンで枢支結合した鋏であって、前記それぞれの棒刃の柄部を、前記右側棒刃の柄部の略中間部でピン結合された左側リンクと、前記左側棒刃の柄部の略中間部でピン結合された右側リンクと、前記右側棒刃の柄部の下端部と前記左側リンクの端部とをピン結合する左側棒状柄と、前記左側棒刃の柄部の下端部と前記右側リンクの端部とをピン結合する右側棒状柄とを備え、前記右側リンクと前記左側リンクの端部同士をリンク結合するとともに、該右側リンクと該左側リンクの他端部をそれぞれの柄部の上端部でスライド可能にピン結合し、前記左側棒刃と前記右側棒刃の刃部間を拡開させる方向に付勢するバネから成るパンタグラフ機構に構成したことを特徴とする。
【手続補正３】
【補正対象書類名】明細書
【補正対象項目名】００１９
【補正方法】変更
【補正の内容】
【００１９】
【図１】図１（ａ）は、柄を全開にしたときの本考案の鋏の正面図、図１（ｂ）は、本考案の鋏の上面図である。
【図２】図２は、図１の鋏の要部の別例であり、このうち図２（ａ）は、図１（ａ）の右側棒状柄の別例の部分拡大図、図２（ｂ）は、そのＡ―Ａ断面図、図２（ｃ）は、そのＢ―Ｂ断面図である。
【図３】図１の鋏を作業者が全開にした状態を示す正面図である。
【図４】図１の鋏を作業者が半開にした状態を示す正面図である。
【図５】図１の鋏を作業者が全閉にした状態を示す正面図である。
【図６】従来の鋏の使用状態図で、図６（ａ）はその両棒刃の全開図、図６（ｂ）はその全閉図である。
【手続補正４】
【補正対象書類名】明細書
【補正対象項目名】００２１
【補正方法】変更
【補正の内容】
【００２１】
図１（ａ）は、柄を全開にしたときの本考案の鋏の正面図、図１（ｂ）は、本考案の鋏の上面図である。